(57)【要約】  本発明は、システム情報送出方法及び装置を開示する。方法は、基地局により、第１の無線フレーム内の第１の時間周波数リソースグループ内で少なくとも１つの第１の上りリンクトリガ信号を受信するステップと、少なくとも１つの第１の上りリンクトリガ信号の時間周波数リソースに基づいて、第１のシステム情報を送出するために使用される時間周波数リソースを決定するステップであり、時間ドメインにおける第１のシステム情報の時間周波数リソースの開始位置が、第１のシステム情報が位置する無線フレームのフレームヘッダ位置に対して第１の時間オフセットを有する、ステップと、第１のシステム情報の時間周波数リソース上で第１のシステム情報を送出するステップとを含む。この方法によれば、基地局は、アイドルモードにおいて同期信号のみを周期的に送出し、上りリンクトリガ信号が基地局により検出される前にシステム情報を配信しない。同期信号が比較的小さい時間周波数リソースを占有するため、すべての残りのサブフレーム時間周波数リソースが動的に構成されて、セルにおける上りリンクサービス及び下りリンクサービスに柔軟に適応し、これにより、ＬＴＥシステムにおけるリソース構成柔軟性を改善することができる。
2019528012.tif 000002
【特許請求の範囲】
【請求項１】
システム情報送出方法であって、
基地局により、第１の無線フレーム内の第１の時間周波数リソースグループ内で少なくとも１つの第１の上りリンクトリガ信号を受信するステップと、
前記少なくとも１つの第１の上りリンクトリガ信号の時間周波数リソースに基づいて、第１のシステム情報を送出するために使用される時間周波数リソースを決定するステップであり、時間ドメインにおける前記第１のシステム情報の前記時間周波数リソースの開始位置は、前記第１のシステム情報が位置する無線フレームのフレームヘッダ位置に対して第１の時間オフセットを有する、ステップと、
前記第１のシステム情報の前記時間周波数リソース上で前記第１のシステム情報を送出するステップと、
を含む方法。
【請求項２】
当該方法は、
前記基地局により、第２の無線フレーム内の第２の時間周波数リソースグループ内で少なくとも１つの第２の上りリンクトリガ信号を受信するステップと、
前記少なくとも１つの第２の上りリンクトリガ信号の時間周波数リソースに基づいて、第２のシステム情報を送出するために使用される時間周波数リソースを決定するステップであり、時間ドメインにおける前記第２のシステム情報の前記時間周波数リソースの開始位置は、前記第２のシステム情報が位置する無線フレームのフレームヘッダ位置に対して第２の時間オフセットを有し、前記第１の時間オフセットは前記第２の時間オフセットと異なる、ステップと、
前記第２のシステム情報の前記時間周波数リソース上で前記第２のシステム情報を送出するステップと、
をさらに含む請求項１に記載の方法。
【請求項３】
基地局により、第１の時間周波数リソースグループ内で少なくとも１つの第１の上りリンクトリガ信号を受信するステップの前に、
前記基地局により、上りリンクトリガ信号を受信するために使用される第１の指示情報を送出するステップであり、前記第１の指示情報は、前記無線フレームの前記第１の時間周波数リソースグループ内に位置する、ステップ
をさらに含む請求項１に記載の方法。
【請求項４】
前記少なくとも１つの第１の上りリンクトリガ信号の時間周波数リソースに基づいて、第１のシステム情報を送出するために使用される時間周波数リソースを決定するステップは、
前記少なくとも１つの第１の上りリンクトリガ信号の前記時間周波数リソースに基づいて、前記第１のシステム情報を送出するために使用される候補時間周波数リソースグループを決定するステップと、
前記第１のシステム情報の前記候補時間周波数リソースグループに基づいて、前記第１のシステム情報を送出するために使用される前記時間周波数リソースを決定するステップと、
を含む、請求項１乃至３のうちいずれか１項に記載の方法。
【請求項５】
システム情報受信方法であって、
ユーザ装置により、サービングセルの同期信号又は第２の指示情報を受信するステップであり、前記第２の指示情報は、トリガ信号系列情報を示すために使用される、ステップと、
前記同期信号又は前記第２の指示情報に基づいて前記サービングセルのトリガ信号リソースを決定するステップであり、前記サービングセルの前記トリガ信号リソースは、少なくとも１つの上りリンクトリガ信号の時間周波数リソース及び／又は前記少なくとも１つの上りリンクトリガ信号の系列情報を含む、ステップと、
前記サービングセルの前記トリガ信号リソースに基づいて上りリンクトリガ信号を生成し、前記上りリンクトリガ信号の時間周波数リソース上で前記上りリンクトリガ信号を送出するステップと、
前記上りリンクトリガ信号の前記時間周波数リソースに基づいて、システム情報を受信するために使用される第２の時間周波数リソースグループを決定するステップと、
前記システム情報の前記第２の時間周波数リソースグループ内で前記システム情報を受信するステップと、
を含む方法。
【請求項６】
前記同期信号に基づいて前記サービングセルのトリガ信号リソースを決定するステップは、
前記同期信号に基づいて、前記サービングセルの識別情報又は前記サービングセルに対応する識別情報を決定するステップであり、前記サービングセルに対応する前記識別情報は、前記サービングセルの前記識別情報と同じ機能を有し且つ前記サービングセルを識別するために使用できる識別情報である、ステップと、
前記サービングセルの前記識別情報又は前記サービングセルに対応する前記識別情報に基づいて前記サービングセルの前記トリガ信号リソースを決定するステップと、
を含む、請求項５に記載の方法。
【請求項７】
前記サービングセルの前記トリガ信号リソースに基づいて上りリンクトリガ信号を生成するステップは、
前記サービングセルの前記トリガ信号リソースに基づいて前記トリガ信号系列情報を決定するステップと、
前記トリガ信号系列情報に基づいて前記上りリンクトリガ信号を生成するステップと、
を含む、請求項５に記載の方法。
【請求項８】
前記ユーザ装置が前記第２の指示情報を受信した場合、前記サービングセルの前記トリガ信号リソースに基づいて上りリンクトリガ信号を生成するステップは、
前記ユーザ装置により、前記第２の指示情報に基づいて前記トリガ信号系列情報を取得するステップと、
前記トリガ信号系列情報に基づいて前記上りリンクトリガ信号を生成するステップと、
を含む、請求項５に記載の方法。
【請求項９】
前記上りリンクトリガ信号の時間周波数リソース上で前記上りリンクトリガ信号を送出するステップは、
前記上りリンクトリガ信号を送出する前、第１の指示情報が受信されたかどうかを検出するステップと、
前記第１の指示情報が受信された場合、前記第１の指示情報に基づいて、前記上りリンクトリガ信号を送出するために使用される前記時間周波数リソースを決定し、前記上りリンクトリガ信号の前記時間周波数リソース上で前記上りリンクトリガ信号を送出するステップと、
を含む、請求項５乃至８のうちいずれか１項に記載の方法。
【請求項１０】
前記第２の時間周波数リソースグループ内で前記システム情報を受信するステップは、
前記システム情報が前記第２の時間周波数リソースグループ内で受信されたかどうかを決定するステップと、
前記ユーザ装置が前記第２の時間周波数リソースグループ内で前記システム情報を受信しない場合、上りリンクトリガ信号のフォーマットを変更し且つ／或いは送信電力を増加させ、変更されたフォーマット及び／又は増加させた送信電力に基づいて前記上りリンクトリガ信号を再度送出するステップと、
を含む、請求項５乃至９のうちいずれか１項に記載の方法。
【請求項１１】
前記第２の時間周波数リソースグループは、前記サービングセルの少なくとも１つのシステム情報リソースを含み、前記システム情報リソースは、時間ドメインリソース、周波数ドメインリソース、及びコードワードリソースを含む、請求項５乃至１０のうちいずれか１項に記載の方法。
【請求項１２】
前記システム情報の前記周波数ドメインリソース及び前記上りリンクトリガ信号の周波数ドメインリソースは、同じ周波数ドメインサブキャリアを占有し、
前記システム情報の前記時間ドメインリソースは、前記ユーザ装置が前記上りリンクトリガ信号を送出した後の指定された時間間隔内の時間ドメインリソースであり、
前記システム情報の前記コードワードリソースは、前記システム情報のスクランブリングコードを含む、
請求項１１に記載の方法。
【請求項１３】
トランシーバユニットと処理ユニットとを含む基地局であって、
前記トランシーバユニットは、第１の無線フレーム内の第１の時間周波数リソースグループ内で少なくとも１つの第１の上りリンクトリガ信号を受信するように構成され、
前記処理ユニットは、前記少なくとも１つの第１の上りリンクトリガ信号の時間周波数リソースに基づいて、第１のシステム情報を送出するために使用される時間周波数リソースを決定するように構成され、時間ドメインにおける前記第１のシステム情報の前記時間周波数リソースの開始位置は、前記第１のシステム情報が位置する無線フレームのフレームヘッダ位置に対して第１の時間オフセットを有し、
前記トランシーバユニットは、前記第１のシステム情報の前記時間周波数リソースに基づいて前記第１のシステム情報を送出するようにさらに構成される、基地局。
【請求項１４】
前記トランシーバユニットは、第２の無線フレーム内の第２の時間周波数リソースグループ内で少なくとも１つの第２の上りリンクトリガ信号を受信するようにさらに構成され、
前記処理ユニットは、前記少なくとも１つの第２の上りリンクトリガ信号の時間周波数リソースに基づいて、第２のシステム情報を送出するために使用される時間周波数リソースを決定するようにさらに構成され、時間ドメインにおける前記第２のシステム情報の前記時間周波数リソースの開始位置は、前記第２のシステム情報が位置する無線フレームのフレームヘッダに対して第２の時間オフセットを有し、前記第１の時間オフセットは前記第２の時間オフセットと異なり、
前記トランシーバユニットは、前記第２のシステム情報の前記時間周波数リソース上で前記第２のシステム情報を送出するようにさらに構成される、
請求項１３に記載の基地局。
【請求項１５】
前記トランシーバユニットは、上りリンクトリガ信号を受信するために使用される第１の指示情報を送出するようにさらに構成され、前記第１の指示情報は、前記無線フレームの前記第１の時間周波数リソースグループ内に位置する、
請求項１３に記載の基地局。
【請求項１６】
前記処理ユニットは、前記少なくとも１つの第１の上りリンクトリガ信号の前記時間周波数リソースに基づいて、同じ周波数領域を占有するサブキャリアを決定し、前記同じ周波数領域を占有する前記サブキャリアに基づいて前記第１のシステム情報の前記時間周波数リソースを決定するようにさらに構成される、
請求項１３乃至１５のうちいずれか１項に記載の基地局。
【請求項１７】
トランシーバユニットと処理ユニットとを含むユーザ装置であって、
前記トランシーバユニットは、サービングセルの同期信号又は第２の指示情報を受信するように構成され、前記第２の指示情報は、トリガ信号系列情報を示すために使用され、
前記処理ユニットは、前記同期信号及び／又は前記第２の指示情報に基づいて前記サービングセルのトリガ信号リソースを決定し、前記サービングセルの前記トリガ信号リソースは少なくとも１つの上りリンクトリガ信号の時間周波数リソース及び／又は前記少なくとも１つの上りリンクトリガ信号の系列情報を含み、
前記サービングセルの前記トリガ信号リソースに基づいて上りリンクトリガ信号を生成するように構成され、
前記トランシーバユニットは、前記上りリンクトリガ信号の時間周波数リソース上で前記上りリンクトリガ信号を送出するようにさらに構成され、
前記処理ユニットは、前記上りリンクトリガ信号の前記時間周波数リソースに基づいて第２の時間周波数リソースグループを決定するようにさらに構成され、
前記トランシーバユニットは、前記第２の時間周波数リソースグループ内でシステム情報を受信するようにさらに構成される、ユーザ装置。
【請求項１８】
前記処理ユニットは、前記同期信号に基づいて、前記サービングセルの識別情報又は前記サービングセルに対応する識別情報を決定し、前記サービングセルに対応する前記識別情報は、前記サービングセルの前記識別情報と同じ機能を有し且つ前記サービングセルを識別するために使用できる識別情報であり、
前記サービングセルの前記識別情報又は前記サービングセルに対応する前記識別情報に基づいて前記サービングセルの前記トリガ信号リソースを決定するようにさらに構成される、
請求項１７に記載のユーザ装置。
【請求項１９】
前記処理ユニットは、前記サービングセルの前記トリガ信号リソースに基づいて前記トリガ信号系列情報を決定し、前記トリガ信号系列情報に基づいて前記上りリンクトリガ信号を生成するようにさらに構成される、
請求項１７に記載のユーザ装置。
【請求項２０】
前記第２の指示情報が受信された場合、前記処理ユニットは、前記第２の指示情報に基づいて前記トリガ信号系列情報を取得し、前記トリガ信号系列情報に基づいて前記上りリンクトリガ信号を生成するようにさらに構成される、請求項１９に記載のユーザ装置。
【請求項２１】
前記処理ユニットは、前記上りリンクトリガ信号が送出される前、第１の指示情報が受信されたかどうかを検出し、前記第１の指示情報が受信された場合、前記第１の指示情報に基づいて、前記上りリンクトリガ信号を送出するために使用される前記時間周波数リソースを決定し、前記上りリンクトリガ信号の前記時間周波数リソース上で前記上りリンクトリガ信号を送出するようにさらに構成される、
請求項１７乃至２０のうちいずれか１項に記載のユーザ装置。
【請求項２２】
前記処理ユニットは、前記システム情報が前記第２の時間周波数リソースグループ内で受信されたかどうかを決定し、前記システム情報が前記第２の時間周波数リソースグループ内で受信されない場合、前記上りリンクトリガ信号のフォーマットを変更し且つ／或いは送信電力を増加させるようにさらに構成され、
前記トランシーバユニットは、前記変更されたフォーマット及び／又は前記増加させた送信電力に基づいて前記上りリンクトリガ信号を再度送出するようにさらに構成される、
請求項１７乃至２１のうちいずれか１項に記載のユーザ装置。
【請求項２３】
前記第２の時間周波数リソースグループは、前記サービングセルの少なくとも１つのシステム情報リソースを含み、前記システム情報リソースは、時間ドメインリソース、周波数ドメインリソース、及びコードワードリソースを含む、請求項２２に記載のユーザ装置。
【請求項２４】
前記システム情報の前記周波数ドメインリソース及び前記上りリンクトリガ信号の周波数ドメインリソースは、同じ周波数ドメインサブキャリアを占有し、
前記システム情報の前記時間ドメインリソースは、当該ユーザ装置が前記上りリンクトリガ信号を送出した後の指定された時間間隔内の時間ドメインリソースであり、
前記システム情報の前記コードワードリソースは、前記システム情報のスクランブリングコードを含む、
請求項２３に記載のユーザ装置。
【発明の詳細な説明】
【技術分野】
【０００１】
本開示は、2016年8月12日に中国特許庁に出願され「SYSTEM  INFORMATION  SENDING  METHOD  AND  APPARATUS」と題された中国特許出願第201610670094.2号に対する優先権を主張し、該出願はここでその全体を参照により援用される。
【０００２】
［技術分野］
本発明は通信技術の分野に関し、詳細にはシステム情報送出方法及び装置に関する。
【背景技術】
【０００３】
ロングタームエボリューション（英語：Long  Term  Evolution、略称ＬＴＥ）システムの絶え間ない進化により、より柔軟なネットワークアクセス技術が将来の次世代モバイル通信ネットワークに必要とされる。ＬＴＥ無線ネットワークシステムにおいて、基地局が情報をユーザ装置（英語：user  equipment、略称ＵＥ）に送出する送信は下りリンク送信として定義され、対応して、ユーザ装置が情報を基地局に送出する送信は上りリンク送信である。
【０００４】
現在のＬＴＥシステムにおいて、下りリンク送信プロセスでは、基地局は、ユーザ装置のために予め定義された時間周波数リソース上で同期信号とブロードキャストチャネルとを同時に送出する必要がある。ブロードキャストチャネルはシステム情報を搬送し、システム情報は比較的大きい時間周波数リソースを占有し、同期信号は比較的小さい時間周波数リソースを占有する。基地局が予め設定された周波数に基づいて同期信号及びブロードキャストチャネルを同時にユーザ装置に周期的に送出するため、送信チャネルのサブフレーム全体のすべての時間周波数リソースが占有される。結果として、予め定義された時間周波数リソースは上りリンク送信に利用可能なリソースへ柔軟に変更できず、ＬＴＥシステムにおけるリソース構成柔軟性は制限される。
【０００５】
例えば、図１に示されるように、時分割複信（英語：time  division  duplex、略称ＴＤＤ）システムは、０から９まで番号付けされた９個のサブフレームを含み、各サブフレームは、上りリンク又は下りリンク送信に使用される１つの時間周波数リソースに対応する。サブフレーム０乃至９内の固定の時間周波数リソースが下りリンク同期信号及び下りリンクブロードキャストチャネルを搬送するために必要とされるため、サブフレーム０及びサブフレーム５は下りリンク送信に使用されるサブフレームとして予め定義され、この２つのサブフレームの時間周波数リソースは下りリンク送信に使用される時間周波数リソースであると指定される。ゆえに、２つの時間周波数リソースが基地局により送出される同期信号及びブロードキャストチャネルを搬送するとき、時間周波数リソース全体がシステム情報により占有されるため、サブフレーム０及びサブフレーム５は下りリンク送信のみに使用され、上りリンクデータを送出するために使用できない。結果として、サブフレーム０及びサブフレーム５のためのリソース構成が影響を受ける。
【発明の概要】
【０００６】
この出願は、予め定義されたサブフレームが下りリンクベアラに使用されるため時間周波数リソースが柔軟に構成できない問題を解決するためのシステム情報送出方法及び装置を提供する。技術的問題を解決するために、この出願は以下の技術的解決策を開示する。
【０００７】
第１の態様によれば、この出願の実施例はシステム情報送出方法を提供する。当該方法は、基地局により、第１の無線フレーム内の第１の時間周波数リソースグループ内で少なくとも１つの第１の上りリンクトリガ信号を受信するステップと、少なくとも１つの第１の上りリンクトリガ信号の時間周波数リソースに基づいて、第１のシステム情報を送出するために使用される時間周波数リソースを決定するステップであり、時間ドメインにおける第１のシステム情報の時間周波数リソースの開始位置は、第１のシステム情報が位置する無線フレームのフレームヘッダ位置に対して第１の時間オフセットを有する、ステップと、第１のシステム情報の時間周波数リソース上で第１のシステム情報を送出するステップと、を含む。
【０００８】
この態様で提供される方法において、基地局は、該基地局がユーザ装置により送出された上りリンクトリガ信号を受信した後にのみ、決定された時間周波数リソースに基づいて第１のシステム情報をユーザ装置に配信する。第１のシステム情報を配信するために使用される時間周波数リソースが無線フレームのフレームヘッダ位置に対する時間オフセットを有するため、基地局が同期信号と第１のシステム情報を搬送するブロードキャストチャネルとを同時に送出しないことが確保でき、それにより、基地局は、上りリンクトリガ信号を検出することなく第１のシステム情報を送出しない。この場合、下りリンクベアラを受信するために使用される時間周波数リソースは周期的に送出された同期信号のみを受信するために使用され、同期信号は比較的少数のリソースを占有するため、残りの時間周波数リソースの多くは動的に構成でき、例えば、上りリンクデータ送信に使用でき、それにより、サブフレーム全体の時間周波数リソースの占有が回避され、これにより、ＬＴＥシステムにおけるリソース構成柔軟性を改善する。
【０００９】
第１の態様を参照し、第１の態様の第１の実現方式において、当該方法は、基地局により、第２の無線フレーム内の第２の時間周波数リソースグループ内で少なくとも１つの第２の上りリンクトリガ信号を受信するステップと、少なくとも１つの第２の上りリンクトリガ信号の時間周波数リソースに基づいて、第２のシステム情報を送出するために使用される時間周波数リソースを決定するステップであり、時間ドメインにおける第２のシステム情報の時間周波数リソースの開始位置は、第２のシステム情報が位置する無線フレームのフレームヘッダ位置に対して第２の時間オフセットを有し、第１の時間オフセットは第２の時間オフセットと異なる、ステップと、第２のシステム情報の時間周波数リソース上で第２のシステム情報を送出するステップと、をさらに含む。この態様において、基地局が無線フレームの時間周波数リソースグループ内で２つ以上の上りリンクトリガ信号を受信したとき、異なる時間オフセットが決定され、それにより、基地局は、システム情報の異なる時間周波数リソース上でシステム情報を送出して、固定の時間周波数リソースの占有を回避し、基地局側における時間周波数リソース構成の柔軟性を改善する。ゆえに、基地局は、データサービスを柔軟にスケジュールできる。
【００１０】
第１の態様を参照し、第１の態様の第２の実現方式において、基地局により、第１の時間周波数リソースグループ内で少なくとも１つの第１の上りリンクトリガ信号を受信するステップの前に、当該方法は、基地局により、上りリンクトリガ信号を受信するために使用される第１の指示情報を送出するステップであり、第１の指示情報は、無線フレームの第１の時間周波数リソースグループ内に位置する、ステップをさらに含み、それにより、ユーザ装置により送出された上りリンクトリガ信号が受信でき、次いで、システム情報が生成され、ユーザ装置に送出される。
【００１１】
第１の態様又は第１の態様の第１若しくは第２の実現方式を参照し、第１の態様の第３の実現方式において、少なくとも１つの第１の上りリンクトリガ信号の時間周波数リソースに基づいて、第１のシステム情報を送出するために使用される時間周波数リソースを決定するステップは、少なくとも１つの第１の上りリンクトリガ信号の時間周波数リソースに基づいて、第１のシステム情報を送出するために使用される候補時間周波数リソースグループを決定するステップと、第１のシステム情報の候補時間周波数リソースグループに基づいて、第１のシステム情報を送出するために使用される時間周波数リソースを決定するステップと、を含む。
【００１２】
第２の態様によれば、この出願の実施例はシステム情報受信方法を提供する。当該方法は、ユーザ装置により、サービングセルの同期信号又は第２の指示情報を受信するステップであり、第２の指示情報は、トリガ信号系列情報を示すために使用される、ステップと、同期信号又は第２の指示情報に基づいてサービングセルのトリガ信号リソースを決定するステップであり、サービングセルのトリガ信号リソースは、少なくとも１つの上りリンクトリガ信号の時間周波数リソース及び／又は少なくとも１つの上りリンクトリガ信号の系列情報を含む、ステップと、サービングセルのトリガ信号リソースに基づいて上りリンクトリガ信号を生成し、上りリンクトリガ信号の時間周波数リソース上で上りリンクトリガ信号を送出するステップと、上りリンクトリガ信号の時間周波数リソースに基づいて、システム情報を送出するために使用される第２の時間周波数リソースグループを決定するステップと、システム情報の第２の時間周波数リソースグループ内でシステム情報を受信するステップと、を含む。
【００１３】
この態様で提供される方法において、基地局により送出されたシステム情報を受信する前、ユーザ装置は、サービングセルのトリガ信号リソースに基づいて上りリンクトリガ信号を生成し、上りリンクトリガ信号を基地局に送出する。これは、以下の問題、すなわち、ユーザ装置がシステム情報を受信した後にトリガ信号を送出するため、基地局は同期信号とシステム情報を搬送するブロードキャストチャネルとを同時に送出し、結果としてサブフレーム全体の時間周波数リソースが占有され、柔軟な時間周波数リソース構成が影響を受けることを回避する。
【００１４】
第２の態様を参照し、第２の態様の第１の実現方式において、同期信号に基づいてサービングセルのトリガ信号リソースを決定するステップは、同期信号に基づいて、サービングセルの識別情報又はサービングセルに対応する識別情報を決定するステップであり、サービングセルに対応する識別情報は、サービングセルの識別情報と同じ機能を有し且つサービングセルを識別するために使用できる識別情報である、ステップと、サービングセルの識別情報又はサービングセルに対応する識別情報に基づいてサービングセルのトリガ信号リソースを決定するステップと、を含む。
【００１５】
第２の態様を参照し、第２の態様の第２の実現方式において、サービングセルのトリガ信号リソースに基づいて上りリンクトリガ信号を生成するステップは、サービングセルのトリガ信号リソースに基づいてトリガ信号系列情報を決定するステップと、トリガ信号系列情報に基づいて上りリンクトリガ信号を生成するステップと、を含む。
【００１６】
第２の態様を参照し、第２の態様の第３の実現方式において、ユーザ装置が第２の指示情報を受信した場合、サービングセルのトリガ信号リソースに基づいて上りリンクトリガ信号を生成するステップは、ユーザ装置により、第２の指示情報に基づいてトリガ信号系列情報を取得するステップと、トリガ信号系列情報に基づいて上りリンクトリガ信号を生成するステップと、を含む。
【００１７】
第２の態様及び第２の態様の第１乃至第３の実現方式のうちいずれか１つを参照し、第２の態様の第４の実現方式において、上りリンクトリガ信号の時間周波数リソース上で上りリンクトリガ信号を送出するステップは、上りリンクトリガ信号を送出する前、第１の指示情報が受信されたかどうかを検出するステップと、第１の指示情報が受信された場合、第１の指示情報に基づいて、上りリンクトリガ信号を送出するために使用される時間周波数リソースを決定し、上りリンクトリガ信号の時間周波数リソース上で上りリンクトリガ信号を送出するステップと、を含み、それにより、基地局は、送出された上りリンクトリガ信号を受信できる。
【００１８】
第２の態様及び第２の態様の第１乃至第４の実現方式のうちいずれか１つを参照し、第２の態様の第５の実現方式において、第２の時間周波数リソースグループ内でシステム情報を受信するステップは、システム情報が第２の時間周波数リソースグループ内で受信されたかどうかを決定するステップと、ユーザ装置が第２の時間周波数リソースグループ内でシステム情報を受信しない場合、上りリンクトリガ信号のフォーマットを変更し且つ／或いは送信電力を増加させ、変更されたフォーマット及び／又は増加させた送信電力に基づいて上りリンクトリガ信号を再度送出して、基地局がユーザ装置により送出された上りリンクトリガ信号を受信できることを確保するステップと、を含む。
【００１９】
第２の態様及び第２の態様の第１乃至第５の実現方式のうちいずれか１つを参照し、第２の態様の第６の実現方式において、第２の時間周波数リソースグループは、サービングセルの少なくとも１つのシステム情報リソースを含み、システム情報リソースは、時間ドメインリソース、周波数ドメインリソース、及びコードワードリソースを含む。
【００２０】
第２の態様の第６の実現方式のうちいずれか１つを参照し、第２の態様の第７の実現方式において、システム情報の周波数ドメインリソース及び上りリンクトリガ信号の周波数ドメインリソースは、同じ周波数ドメインサブキャリアを占有し、システム情報の時間ドメインリソースは、ユーザ装置が上りリンクトリガ信号を送出した後の指定された時間間隔内の時間ドメインリソースであり、システム情報のコードワードリソースは、システム情報のスクランブリングコードを含む。
【００２１】
第３の態様によれば、この出願の実施例は、トランシーバユニットと処理ユニットとを含む基地局をさらに提供し、トランシーバユニットは、第１の無線フレーム内の第１の時間周波数リソースグループ内で少なくとも１つの第１の上りリンクトリガ信号を受信するように構成され、処理ユニットは、少なくとも１つの第１の上りリンクトリガ信号の時間周波数リソースに基づいて、第１のシステム情報を送出するために使用される時間周波数リソースを決定するように構成され、時間ドメインにおける第１のシステム情報の時間周波数リソースの開始位置は、第１のシステム情報が位置する無線フレームのフレームヘッダ位置に対して第１の時間オフセットを有し、トランシーバユニットは、第１のシステム情報の時間周波数リソースに基づいて第１のシステム情報を送出するようにさらに構成される。
【００２２】
第３の態様を参照し、第３の態様の第１の実現方式において、トランシーバユニットは、第２の無線フレーム内の第２の時間周波数リソースグループ内で少なくとも１つの第２の上りリンクトリガ信号を受信するようにさらに構成され、処理ユニットは、少なくとも１つの第２の上りリンクトリガ信号の時間周波数リソースに基づいて、第２のシステム情報を送出するために使用される時間周波数リソースを決定するように構成され、時間ドメインにおける第２のシステム情報の時間周波数リソースの開始位置は、第２のシステム情報が位置する無線フレームのフレームヘッダに対して第２の時間オフセットを有し、第１の時間オフセットは第２の時間オフセットと異なり、トランシーバユニットは、第２のシステム情報の時間周波数リソース上で第２のシステム情報を送出するようにさらに構成される。
【００２３】
第３の態様を参照し、第３の態様の第２の実現方式において、トランシーバユニットは、上りリンクトリガ信号を受信するために使用される第１の指示情報を送出するようにさらに構成され、第１の指示情報は、無線フレームの第１の時間周波数リソースグループ内に位置する。
【００２４】
第３の態様及び第３の態様の第１又は第２の実現方式のうちいずれかを参照し、第３の態様の第３の実現方式において、処理ユニットは、少なくとも１つの第１の上りリンクトリガ信号の時間周波数リソースに基づいて、同じ周波数領域を占有するサブキャリアを決定し、同じ周波数領域を占有するサブキャリアに基づいて第１のシステム情報の時間周波数リソースを決定するようにさらに構成される。
【００２５】
第４の態様によれば、この出願の実施例は、トランシーバユニットと処理ユニットとを含むユーザ装置をさらに提供する。
【００２６】
トランシーバユニットは、サービングセルの同期信号又は第２の指示情報を受信するように構成され、第２の指示情報は、トリガ信号系列情報を示すために使用され、処理ユニットは、同期信号及び／又は第２の指示情報に基づいてサービングセルのトリガ信号リソースを決定し、サービングセルのトリガ信号リソースは少なくとも１つの上りリンクトリガ信号の時間周波数リソース及び／又は少なくとも１つの上りリンクトリガ信号の系列情報を含み；サービングセルのトリガ信号リソースに基づいて上りリンクトリガ信号を生成するように構成され、トランシーバユニットは、上りリンクトリガ信号の時間周波数リソース上で上りリンクトリガ信号を送出するようにさらに構成され、処理ユニットは、上りリンクトリガ信号の時間周波数リソースに基づいて無線フレーム内の第２の時間周波数リソースグループを決定するようにさらに構成され、トランシーバユニットは、第２の時間周波数リソースグループ内でシステム情報を受信するようにさらに構成される。
【００２７】
さらに、ユーザ装置は、第２の態様の第１乃至第７の実現方式における方法ステップの全部又は一部を実現するように構成されたユニットをさらに含む。
【００２８】
第５の態様によれば、この出願の実施例は情報送出システムをさらに提供し、システムは基地局と少なくとも１つのユーザ装置とを含み、基地局はトランシーバとプロセッサとを含み、ユーザ装置はトランシーバとプロセッサとを含む。
【００２９】
ユーザ装置は、サービングセルの同期信号又は第２の指示情報を受信し、第２の指示情報はトリガ信号系列情報を示すために使用され；同期信号又は第２の指示情報に基づいてサービングセルのトリガ信号リソースを決定し、サービングセルのトリガ信号リソースは上りリンクトリガ信号時間周波数リソースのグループ及び／又は上りリンクトリガ信号コードワードのグループを含む。
【００３０】
ユーザ装置はさらに、サービングセルのトリガ信号リソースに基づいて上りリンクトリガ信号を生成し、上りリンクトリガ信号の時間周波数リソース上で上りリンクトリガ信号を送出する。
【００３１】
基地局は、第１の無線フレーム内の第１の時間周波数リソースグループ内で少なくとも１つの第１の上りリンクトリガ信号を受信し；少なくとも１つの第１の上りリンクトリガ信号の時間周波数リソースに基づいて、第１のシステム情報を送出するために使用される時間周波数リソースを決定し、時間ドメインにおける第１のシステム情報の時間周波数リソースの開始位置が、第１のシステム情報が位置する無線フレームのフレームヘッダ位置に対して第１の時間オフセットを有し；第１のシステム情報の時間周波数リソース上で第１のシステム情報を送出する。
【００３２】
ユーザ装置は、上りリンクトリガ信号の時間周波数リソースに基づいて、システム情報を送出するために使用される第２の時間周波数リソースグループを決定し、システム情報の第２の時間周波数リソースグループ内で第１のシステム情報を受信する。
【００３３】
基地局は、第１の態様から第１の態様の第３の実現方式までの任意の技術的解決策の実現方式を実現するようにさらに構成され、ユーザ装置は、第２の態様から第２の態様の第７の実現方式までの任意の技術的解決策の実現方式を実現するようにさらに構成される。
【００３４】
この態様で提供されるシステムにおいて、基地局は、アイドルモードにおいて同期信号のみを周期的に送出し、上りリンクトリガ信号が基地局により検出される前にシステム情報を配信しない。この場合、同期信号が比較的少数の適応的リソースを占有するため、サブフレームのすべての残りの時間周波数リソースが動的に構成されて、サービングセルにおける上りリンクサービス及び下りリンクサービスに柔軟に適応できる。これは、以下の問題、すなわち、基地局が同期信号とシステム情報を搬送するブロードキャストチャネルとを同時に送出するため、時間周波数リソース全体が占有され、結果としてＬＴＥシステムにおけるリソース構成柔軟性が影響を受けることを回避する。
【００３５】
第６の態様によれば、この出願はコンピュータ記憶媒体をさらに提供し、コンピュータ記憶媒体はプログラムを記憶してもよく、プログラムが実行されたとき、本発明で提供されるシステム情報送出方法及び装置の実現方式におけるステップの一部又は全部が実行され得る。
【図面の簡単な説明】
【００３６】
この出願における技術的解決策をより明確に説明するために、実施例を説明するために必要な添付図面を以下で簡潔に説明する。明らかに、当業者は創造的取り組みなしにこれら添付図面から他の図面を導出し得る。
【図１】ＴＤＤシステムにおける無線フレームの概略図である。
【図２】この出願の実施例によるシステム情報送出方法の概略フローチャートである。
【図３】この出願の実施例によるユーザ装置によりシステム情報をトリガする概略図である。
【図４】この出願の実施例によるシステム情報受信方法の概略フローチャートである。
【図５】この出願の実施例によるユーザ装置と基地局との間でシステム情報を送出する概略フローチャートである。
【図６】この出願の実施例による基地局の構成ブロック図である。
【図７】この出願の実施例によるユーザ装置の概略ブロック図である。
【図８】この出願の実施例による別の基地局の概略構成図である。
【図９】この出願の実施例による別のユーザ装置の概略構成図である。
【発明を実施するための形態】
【００３７】
この出願の実施例で提供されるシステム情報送出方法及び装置は、５Ｇ通信システム、ＬＴＥシステム、又は進化型ＬＴＥシステムに主に適用され、或いはシングルキャリアシステム又はマルチキャリアシステムに適用されてもよい。この方法は、基地局（略称ｅＮＢ）により、システム情報をユーザ装置（略称ＵＥ）を送出するために使用される。システム情報は、システム帯域幅情報、システムフレーム番号、ユーザ装置のアクセスに関連したシステム情報等を含む。
【００３８】
この出願におけるユーザ装置は、ユーザ装置、ユーザ端末、クライアント等でもよい。具体的に、ユーザ装置は、モバイルフォン、タブレットコンピュータ、パームトップコンピュータ、モバイルインターネットデバイス等をさらに含む。
【００３９】
この出願の実施例で使用されるサービングセルは、ユーザ装置のためにネットワーク側デバイスにより構成されたサービングセルでもよく、或いはユーザ装置にサービス提供するサービングセルでもよく、或いはユーザ装置によりアクセスされるサービングセルでもよい。本発明の実施例におけるサービングセル（英語：serving  cell）はコンポーネントキャリア（英語：component  carrier）とも呼ばれ得る。本発明の実施例におけるサービングセルは、ユーザ装置のプライマリサービングセル（英語：primary  serving  cell）でもよく、或いはユーザ装置のセカンダリサービングセル（英語：secondary  serving  cell）でもよい。
【００４０】
ＬＴＥシステムにおいて、上りリンク又は下りリンクデータ送信は、無線フレームを使用することにより基地局とユーザ装置との間で実行される。無線フレームは、ＬＴＥシステムにおける時間単位である。ＬＴＥシステムにおいて、各無線フレームは１０個のサブフレームを含み、１０ｍｓの時間長を有すると指定される。無線フレーム構造は、異なるタイプのサブフレームの組み合わせに依存する。ＴＤＤシステムにおいて、７つの決定されたタイプの無線フレーム構造が存在する。各サブフレームの長さは１ｍｓであり、各サブフレームは複数のタイプを含む。ＴＤＤモードにおいて、サブフレームは下りリンクサブフレーム、上りリンクサブフレーム、及びスペシャルサブフレームを含み、周波数分割複信（英語：frequency  division  duplex、略称ＦＤＤ）モードにおいて、サブフレームは下りリンクサブフレーム及び上りリンクサブフレームを含む。
【００４１】
この出願において、次世代通信システムにおけるリソース構成柔軟性を改善するために、システム設計は、予め定義される時間周波数リソースを可能な限り低減し、且つ連続的に送信される信号を最小化することを目指し、それにより、柔軟に構成できる時間周波数リソースが最大化される。この出願の実施例はシステム情報送出方法を提供する。図２に示されるように、方法は以下のステップを含む。
【００４２】
ステップ２０１：基地局が、第１の無線フレーム内の第１の時間周波数リソースグループ内で少なくとも１つの第１の上りリンクトリガ信号を受信する。トリガ信号の形式は、ＬＴＥにおけるＰＲＡＣＨ信号の形式と同様である。
【００４３】
時間周波数リソースは、ＬＴＥシステムにおける時間ドメイン及び周波数ドメインにおいて物理チャネル及び物理信号を送信するために使用されるリソースである。具体的に、ＬＴＥシステムにおいて、時間ドメインにおける物理チャネル及び／又は物理信号を送信するための最小時間単位はＯＦＤＭシンボルであり、周波数ドメインにおける最小単位はサブキャリアであると指定される。時間ドメインにおける１つの最小リソース単位と周波数ドメインにおける１つの最小リソース単位とを含むリソースがリソースエレメント（英語：resource  element、略称ＲＥ）と呼ばれる。時間周波数リソースは、周波数ドメイン及び時間ドメインにおけるＲＥのグループを含む。例えば、時間周波数リソースは時間ドメインにおいて１つのサブフレームを含み、周波数ドメインにおいて７２個のサブキャリアを含み、各サブフレームは１４個のＯＦＤＭシンボルを含む。
【００４４】
第１の時間周波数リソースは少なくとも１つのサブフレームを含む。例えば、図１における無線フレームは１０個のサブフレーム、すなわちサブフレーム０乃至９を含み、ＤＬ０及びＤＬ５は、下りリンク送信を実現するために使用されるサブフレームとして予め定義される。ステップ２０１において、第１の時間周波数リソースグループは、サブフレーム１乃至サブフレーム４を含む時間周波数リソースグループ、及び／又はサブフレーム６乃至サブフレーム９を含む時間周波数リソースグループであり、上りリンクトリガ信号は、２つの時間周波数リソースグループ双方における各サブフレームの時間周波数リソース上で受信できる。第１の時間周波数リソースグループにおいて、少なくとも１つの上りリンクトリガ信号が受信されてもよく、第１の時間周波数リソースグループ内の各サブフレームにおいて、少なくとも１つの上りリンクトリガ信号が受信されてもよい。
【００４５】
さらに、上りリンクトリガ信号が受信される前、基地局は、予め設定された周波数に基づいて同期信号を周期的に送出し、同期信号は、同期信号系列を使用することによりサービングセルのＩＤ情報又は識別情報を搬送する。
【００４６】
ステップ２０２：基地局が、少なくとも１つの第１の上りリンクトリガ信号の時間周波数リソースに基づいて、第１のシステム情報を送出するために使用される時間周波数リソースを決定し、時間ドメインにおける第１のシステム情報の時間周波数リソースの開始位置は、第１のシステム情報が位置する無線フレームのフレームヘッダ位置に対して第１の時間オフセットを有する。
【００４７】
第１の上りリンクトリガ信号の時間周波数リソースに基づいて、第１のシステム情報を送出するために使用される時間周波数リソースを決定することは、少なくとも１つの第１の上りリンクトリガ信号の時間周波数リソースに基づいて、第１のシステム情報を送出するために使用される候補時間周波数リソースグループを決定することと、第１のシステム情報の候補時間周波数リソースグループから、第１のシステム情報の時間周波数リソースを決定することとを含む。
【００４８】
図３に示されるように、基地局は、サブフレーム２の時間周波数リソース上で、ユーザ装置により送出された上りリンクトリガ信号を受信し、ユーザ装置側におけるトリガ信号の時間周波数リソースに基づいて、システム情報を送出するためのサブフレーム４乃至サブフレーム８を含む時間周波数リソースグループ、すなわち、第１のシステム情報の候補時間周波数リソースグループを決定する。基地局側における無線フレームは、１０個のサブフレーム、すなわちサブフレーム０乃至９を含む。基地局は、第１の時間周波数リソースグループ内でトリガ信号が受信されるリソース位置の数に基づいて、及び／又はトリガ信号を送出するために使用される時間周波数リソースグループのサブフレームタイプに基づいて、時間周波数リソースグループ内でシステム情報を送出するために使用される時間周波数リソースを決定する。
【００４９】
具体的に、基地局が第１の時間周波数リソースグループ内で受信されるトリガ信号に基づいて、システム情報を送出するために使用される時間周波数リソースグループを決定するプロセスは、以下のとおりである。図３に示されるように、第１の時間周波数リソースグループはサブフレーム０乃至３を含み、基地局は第１の時間周波数リソースグループ内で少なくとも１つの上りリンクトリガ信号を受信し、時間ドメインにおける少なくとも１つの上りリンクトリガ信号に対応する時間周波数リソースの開始位置がサブフレーム２内である場合、基地局は、システム情報を送出するために使用される時間周波数リソースグループがサブフレーム４乃至８を含む時間周波数リソースグループであると決定する。換言すると、開始位置のサブフレームとシステム情報を送出するために基地局により決定される時間周波数リソースグループ内の最後のサブフレームとの間の時間オフセットが、固定の時間オフセットである。この実施例において、時間オフセットは６個のサブフレームである。
【００５０】
この出願におけるシステム情報のリソースは時間リソース、周波数リソース、コードワードリソースなどを含む。コードワードリソースは、上りリンクトリガ信号の時間周波数リソースに基づいて決定されるシステム情報スクランブリングコードを含む。上りリンクトリガ信号の時間周波数リソースとシステム情報の時間周波数リソースとの間の関係は以下のとおりである。システム情報の周波数ドメインリソースと上りリンクトリガ信号の周波数ドメインリソースとは、同じ周波数ドメインサブキャリアを占有し、システム情報の時間ドメインリソースは、ユーザ装置により上りリンクトリガ信号を送出するために使用される時間ドメインリソースに対する時間オフセットを有する。時間オフセットは、少なくとも１つのサブフレーム及び／又は１つの直交周波数分割多重（英語：orthogonal  frequency  division  multiplexing、ＯＦＤＭ）シンボルである。
【００５１】
さらに、基地局は、トリガ信号を送出するために使用される時間周波数リソースをユーザ装置に対してさらに示してもよい。例えば、基地局は、特定のユーザ装置のための下りリンク共通制御命令情報又は下りリンク制御命令情報を送出して、トリガ信号を送出するために使用される時間周波数リソースを示す。
【００５２】
ステップ２０３：基地局が、第１のシステム情報の時間周波数リソース上で第１のシステム情報を送出する。さらに、基地局は、第１のシステム情報を搬送するブロードキャストチャネルを配信することにより第１のシステム情報を送出してもよい。
【００５３】
さらに、基地局が少なくとも２つの時間周波数リソース位置でシステム情報を送出し、少なくとも２つの時間周波数リソース位置が少なくとも２つの異なる無線フレーム内にそれぞれある場合、対応するシステム情報を送出するために使用される各時間周波数リソースは、時間周波数リソースが位置する無線フレームのフレームヘッダの開始位置に対して異なる時間オフセットを有すると決定される。具体的に言えば、第１のシステム情報を送出するために使用される時間周波数リソースは、第１の無線フレームのフレームヘッダ位置に対して第１の時間オフセットを有し、第２のシステム情報を送出するために使用される時間周波数リソースは、第２の無線フレームのフレームヘッダ位置に対して第２の時間オフセットを有する、などである。これは、各々の送出されるシステム情報の時間周波数リソースが、システム情報が位置する無線フレームのフレームヘッダの開始位置と異なることを確保し、これにより、予め設定された固定の下りリンク時間周波数リソースの占有を回避する。
【００５４】
この出願のこの実施例において、基地局は、システム情報を送出するために固定の時間周波数リソースを占有する必要がない。ゆえに、システム情報を送出するために元来使用されているサブフレームのサブフレームタイプがさらに変更されてもよい。例えば、サブフレームは上りリンク送信サブフレームに変更される。このように、システムリソース柔軟性が改善される。
【００５５】
さらに、ステップ２０１における、基地局が少なくとも１つの上りリンクトリガ信号を受信することは、基地局により、同じ無線フレーム内の時間周波数リソースグループ内の異なる時間周波数リソース位置で２つ以上の上りリンクトリガ信号を受信すること、又は基地局により、連続無線フレーム又は非連続無線フレームを含む異なる無線フレーム内の異なる時間周波数リソース上で２つ以上の上りリンクトリガ信号を別個に受信することを含む。
【００５６】
基地局が、第２の無線フレーム内の第２の時間周波数リソースグループ内で少なくとも１つの第２の上りリンクトリガ信号を受信した場合、第２のシステム情報を送出するために使用される時間周波数リソースを決定するステップは、少なくとも１つの第２の上りリンクトリガ信号の時間周波数リソースに基づいて、第２のシステム情報を送出するために使用される時間周波数リソースを決定することを含む。時間ドメインにおける第２のシステム情報の時間周波数リソースの開始位置は、第２のシステム情報が位置する無線フレームのフレームヘッダ位置に対して第２の時間オフセットを有し、第１の時間オフセットは第２の時間オフセットと異なる。時間オフセットは、少なくとも１つのサブフレーム及び／又は１つのＯＦＤＭシンボルである。第２のシステム情報の時間周波数リソースが決定された後、第２のシステム情報は、第２のシステム情報の時間周波数リソース上で送出される。ゆえに、異なる基地局が、システム情報の異なる時間周波数リソース上でシステム情報を送出して、固定の時間周波数リソースの占有を回避し、基地局側における時間周波数リソース構成の柔軟性を改善する。ゆえに、基地局は、上りリンク又は下りリンクデータサービスを柔軟にスケジュールできる。
【００５７】
さらに、ステップ２０１における、基地局が第１の無線フレーム内の第１の時間周波数リソースグループ内で少なくとも１つの第１の上りリンクトリガ信号を受信することは、基地局により、上りリンクトリガ信号の時間周波数リソース位置が位置するサブフレームの開始位置で第１の指示情報を送出することを含み、第１の指示情報は、上りリンクトリガ信号が現在のサブフレーム内で受信できるかどうかを示すために使用され、指示情報は、無線フレーム全体における一様な指示をさらに含み、ユーザ装置が上りリンクトリガ信号を送出できるかどうかを示す。
【００５８】
第１の指示情報が、上りリンクトリガ信号が現在のサブフレーム内で受信できることを示す場合、基地局は、無線フレームの第１の時間周波数リソースグループ内の少なくとも１つの時間周波数リソース位置で上りリンクトリガ信号を受信する。基地局が、２つ以上の上りリンクトリガ信号を受信した場合、基地局は、予め定義された時間長と各上りリンクトリガ信号とに基づいて、システム情報を各々の受信した上りリンクトリガ信号に対応するユーザ装置に送出する。別法として、システム情報の時間周波数リソースは、複数のトリガ信号が受信される時間周波数リソース位置に基づいて決定される。例えば、上りリンクトリガ信号がサブフレームｎ内で受信された場合、システム情報は、上りリンクトリガ信号の周波数ドメイン位置と同じで且つサブフレームｎ＋ｋより早いサブフレーム内である周波数ドメイン位置で送出される。
【００５９】
ステップ２０１において、基地局が上りリンクトリガ信号を受信する前に、当該方法は、ユーザ装置により、上りリンクトリガ信号を生成及び送出することをさらに含む。図４に示されるように、具体的なプロセスは以下のとおりである。
【００６０】
ステップ４０１：ユーザ装置が、サービングセルの同期信号又は第２の指示情報を受信し、第２の指示情報は、トリガ信号系列情報を示すために使用される。
【００６１】
ステップ４０２：ユーザ装置が、同期信号又は第２の指示情報に基づいてサービングセルのトリガ信号リソースを決定し、サービングセルのトリガ信号リソースは、少なくとも１つの上りリンクトリガ信号の時間周波数リソース及び／又は少なくとも１つの上りリンクトリガ信号の系列情報を含む。
【００６２】
ステップ４０２において、ユーザ装置により受信された指示情報がサービングセルの同期信号である場合、ユーザ装置は、同期信号に基づいてサービングセルのトリガ信号リソースを決定する。具体的に、最初、ユーザ装置は、同期信号に基づいて、サービングセルのＩＤ情報又はサービングセルに対応するＩＤ情報を決定し、次いで、ユーザ装置は、サービングセルのＩＤ情報又はサービングセルに対応するＩＤ情報に基づいて、サービングセルのトリガ信号リソースを決定する。
【００６３】
サービングセルのＩＤ情報は、セルＩＤでもよく、或いは他の識別情報でもよく、セルＩＤは、ネットワークにおけるサービングセルの一意識別子である。サービングセルに対応するＩＤ情報は、セルＩＤと同じ機能を有し且つサービングセルを識別するために使用できるＩＤ情報、例えば、サービングセルのグループを一意に識別できるハイパーセルＩＤ（hyper-cell  ID）である。
【００６４】
上りリンクトリガ信号リソースは、トリガ信号を生成するために使用されるコードワード情報グループ、トリガ信号を送出するために使用される時間周波数リソースに関する情報、トリガ信号の初期フォーマット情報、トリガ信号の初期電力情報などを含む。例えば、トリガ信号の時間ドメインリソースは、無線フレーム内の全部又は一部のサブフレームであり、周波数ドメインリソースは、同期信号を受信するために使用される周波数ドメインリソースと同じか、或いは１つの周波数ドメインオフセットだけ異なる。トリガ信号の初期フォーマット情報は、占有される連続ＯＦＤＭシンボルの数又は繰り返し送出されるトリガ信号の最大数、トリガ信号を送出するための時間長、及びトリガ信号の再送信数を含む。トリガ信号の初期電力情報は、最初にトリガ信号が送信されるときの電力の値、及び再送信中の電力増分の値を含む。トリガ信号のフォーマット情報は、トリガ信号を送出するための時間長、及びトリガ信号の再送信数を含む。
【００６５】
ステップ４０２において、別法として、ユーザ装置により受信される指示情報は、基地局により送出された指示情報又はトリガ系列情報でもよい。トリガ系列情報は、トリガ信号を生成するために使用されるコードワード情報又はコードワード情報グループ、トリガ信号を送出するための時間周波数リソース位置、トリガ信号の初期フォーマット情報、及びトリガ信号の初期電力情報を含む。
【００６６】
ステップ４０３：ユーザ装置が、サービングセルのトリガ信号リソースに基づいて上りリンクトリガ信号を生成し、上りリンクトリガ信号の時間周波数リソース上で上りリンクトリガ信号を送出する。
【００６７】
ステップ４０３における、ユーザ装置がトリガ信号リソースに基づいて上りリンクトリガ信号を生成することは、ユーザ装置がサービングセルの同期信号を受信した場合、トリガ信号リソースに基づいてトリガ信号の系列情報グループを決定することと、トリガ信号系列として系列情報グループから系列をランダムに選択してトリガ信号を生成することとを具体的に含む。
【００６８】
ユーザ装置により受信される第２の指示情報がトリガ信号系列情報を含む場合、ユーザ装置がサービングセルのトリガ信号リソースに基づいて上りリンクトリガ信号を生成することは、ユーザ装置により、第２の指示情報に基づいてトリガ信号系列を取得することと、ユーザ装置により、トリガ信号系列に基づいて上りリンクトリガ信号を生成することとを含む。トリガ信号系列情報は、トリガ信号を生成するために使用される系列を含み、トリガ信号を生成するために使用される系列の基本パラメータ又は命令のような情報をさらに含む。
【００６９】
さらに、ステップ４０３においてユーザ装置が生成されたトリガ信号を基地局に送出する前、ユーザ装置はさらに、上りリンクトリガ信号を送出するかどうかを決定する必要がある。具体的なプロセスは以下のとおりである。
【００７０】
ユーザ装置は、上りリンクトリガ信号の決定された時間周波数リソースが位置するサブフレームの開始位置において、第１の指示情報が存在するかどうかを検出する。トリガ信号を送出するための送出命令が検出された場合、ユーザ装置は、トリガ信号の決定された時間周波数リソース位置で上りリンクトリガ信号を送出する。トリガ信号を送出するための第１の指示情報が検出されない場合、ユーザ装置はトリガ信号を送出しない。第１の指示情報は、下りリンク制御指示情報と、現在のサブフレームタイプを示すために使用される指示情報とを含んでもよい。上りリンクトリガ信号を送出する前、ユーザ装置は、基地局が上りリンクトリガ信号を受信し、システム情報を送出することができるかどうかを決定する。これは、ユーザ装置が無効な上りリンクトリガ信号を送出することを回避し、これにより、システム情報送信のセキュリティ及び正確さを改善する。
【００７１】
ユーザ装置が、生成された上りリンクトリガ信号を基地局に送出した後、基地局は、上りリンクトリガ信号に基づいてステップ２０１乃至２０３を実行して、ブロードキャストチャネルを使用することによりシステム情報をユーザ装置に送出する。ステップ３０３の後、当該方法は以下をさらに含む。
【００７２】
ステップ４０４：ユーザ装置が、上りリンクトリガ信号の時間周波数リソースに基づいて、無線フレーム内の第２の時間周波数リソースグループを決定する。換言すると、ユーザ装置は、送出した上りリンクトリガ信号に基づいてサービングセルの１つのシステム情報リソース又はサービングセルのシステム情報リソースのグループを決定する。
【００７３】
ユーザ装置が第２の時間周波数リソースグループを決定するプロセスにおいて、ユーザ装置は、上りリンクトリガ信号の時間周波数リソースが位置するサブフレームの位置に基づいて、サービングセルのシステム情報を検出するための時間周波数リソース位置、すなわち第２の時間周波数リソース位置を決定する。例えば、図３に示されるように、ユーザ装置は、送出した上りリンクトリガ信号の時間周波数リソースが位置するサブフレームの位置に基づいて、サービングセルのシステム情報を検出するための時間周波数リソース位置を決定する。例えば、サブフレームｎにおいてトリガ信号を送出した後、ユーザ装置は、サブフレームｎ＋１からサブフレームｎ＋ｋまでのｋ個のサブフレームの時間間隔内で、システム情報が基地局から受信されるかどうかを検出する。
【００７４】
図３において、基地局側で、システム情報を送出するための時間周波数リソース位置は、ユーザ装置により受信された同期信号の時間周波数リソース位置に基づいて決定される。例えば、サービングセルの同期信号は、サブフレームｎ内のｍ番目のＯＦＤＭシンボルの予め決定された周波数ドメイン位置でユーザ装置により検出され、ユーザ装置は、サブフレームｎ＋１内の（ｍ＋ｖ）番目のＯＦＤＭシンボル上でサービングセルのシステム情報を検出する。システム情報は、１つ以上のＯＦＤＭシンボルを占有し得る。例えば、ユーザ装置は、（ｍ＋ｖ）番目のＯＦＤＭシンボルからシステム情報を受信し始める。
【００７５】
システム情報が時間周波数リソース位置でユーザ装置により検出されない場合、ユーザ装置はステップ４０３を繰り返し実行して、トリガ信号の後の時間周波数リソース上で上りリンクトリガ信号を送出し続け、或いは、ユーザ装置はタイマを開始し、タイマが満了した後にステップ４０３を繰り返す。
【００７６】
ステップ４０５：ユーザ装置が、第２の時間周波数リソースグループ内でシステム情報を受信する。
【００７７】
ユーザ装置がトリガ信号を再度送出する前述のプロセスは、ユーザ装置により、トリガ信号の初期フォーマット及び／又は送信電力を変更することと、トリガ信号を次回送出するときに更新されたトリガ信号フォーマット及び／又は送信電力を使用すること、具体的に、より大きい再送信数及びより大きい送信電力を使用することと、トリガ信号の再送信数及びトリガ信号の送信電力が予め定義された最大値に到達した場合、トリガ信号のフォーマット及び送信電力はもはや変更されないこととをさらに含む。
【００７８】
基地局により送出されたシステム情報を受信しないとき、ユーザ装置は、初期フォーマットを変更し、或いは送信電力を増加させて、送出した上りリンクトリガ信号が基地局に到達できるようにし、それにより、基地局は、上りリンクトリガ信号を受信し、システム情報を送出することができる。
【００７９】
この方法の実施例において、ユーザ装置により送出されたトリガ信号を受信した後、基地局は、決定された時間周波数リソースに基づいてシステム情報をユーザ装置に配信する。システム情報を配信するために使用される時間周波数リソースが時間オフセットを有するため、基地局により送出される同期信号とシステム情報を搬送するブロードキャストチャネルとは同時に送出されず、換言すると、基地局は、上りリンクトリガ信号を検出しないときシステム情報を送出しないことが確保される。この場合、下りリンクベアラを受信するために使用される時間周波数リソースは同期信号のみを受信するために使用され、少数のリソースが占有されるため、残りの時間周波数リソースの多くは動的に構成でき、例えば、上りリンクデータ送信に使用でき、それにより、サブフレーム全体の時間周波数リソースの占有が回避され、これにより、ＬＴＥシステムにおけるリソース構成柔軟性を改善する。
【００８０】
この出願の別の実施例において、情報送出システムが提供される。当該システムは、基地局と少なくとも１つのユーザ装置とを含む。図５は、基地局によりシステム情報をユーザ装置に送出するシグナリング図である。具体的に、システムにおいてシステム情報を生成及び送出するプロセスは以下のとおりである。
【００８１】
Ｓ５０１．基地局が、サービングセルの同期信号又は第２の指示情報をユーザ装置に送出する。
【００８２】
Ｓ５０２．ユーザ装置が、サービングセルの同期信号又は第２の指示情報を受信する。
【００８３】
Ｓ５０３．ユーザ装置が、受信した同期信号又は受信した第２の指示情報に基づいてサービングセルのトリガ信号リソースを決定する。具体的に、ユーザ装置は、サービングセルの同期信号のグループに基づいてＩＤ＿Ｉ情報又は識別情報を決定し、ＩＤ＿Ｉ情報又は識別情報に基づいてサービングセルのトリガ信号リソースを決定し、サービングセルのトリガ信号リソースは、上りリンクトリガ信号時間周波数リソースのグループ及び／又は上りリンクトリガ信号コードワードのグループを含む。
【００８４】
Ｓ５０４．ユーザ装置が、サービングセルのトリガ信号リソースに基づいて上りリンクトリガ信号を生成し、上りリンクトリガ信号が送出できるかどうかを決定する。
【００８５】
Ｓ５０５．ユーザ装置が基地局からの第１の指示情報を検出又は受信し、第１の指示情報は、トリガ信号を送出するようユーザ装置に命令するために使用される場合、ユーザ装置はステップＳ６を実行する。
【００８６】
Ｓ５０６．ユーザ装置が、生成した上りリンクトリガ信号を基地局に送出する。
【００８７】
Ｓ５０７．基地局が、無線フレームの第１の時間周波数リソースグループ内の少なくとも１つの時間周波数リソース位置で少なくとも１つの上りリンクトリガ信号を受信する。
【００８８】
Ｓ５０８．基地局が、少なくとも１つの上りリンクトリガ信号の時間周波数リソース位置に基づいて、第１のシステム情報を送出するための第１の時間周波数リソース位置を決定し、時間ドメインにおける第１の時間周波数リソース位置の開始位置は、第１のシステム情報が位置する無線フレームのフレームヘッダ位置に対して第１の時間オフセットを有する。
【００８９】
Ｓ５０９．基地局が、第１のシステム情報の時間周波数リソース位置で第１のシステム情報を送出する。
【００９０】
Ｓ５１０．ユーザ装置が、上りリンクトリガ信号の時間周波数リソースに基づいて第２の時間周波数リソースグループを決定する。
【００９１】
Ｓ５１１．ユーザ装置が、第２の時間周波数リソースグループ内で第１のシステム情報を受信する。
【００９２】
Ｓ５１２．ユーザ装置が、基地局により送出された第１のシステム情報が受信されたかどうかを検出する。
【００９３】
Ｓ５１３．ユーザ装置が第１のシステム情報を検出又は受信しない場合、ユーザ装置は、上りリンクトリガ信号の初期フォーマットを変更し、或いは送信電力を増加させる。
【００９４】
Ｓ５１４．ユーザ装置が、変更された初期フォーマット又は増加させた送信電力に基づいて上りリンクトリガ信号を再度送出して、基地局が上りリンクトリガ信号を受信でき、システム情報を送出できることを確保する。
【００９５】
さらに、ステップＳ５０９において、基地局は、無線フレーム内で第２の上りリンクトリガ信号を受信し、第２の上りリンクトリガ信号に基づいて、ブロードキャストチャネルを送出するための第２の時間周波数リソース位置を決定し、第２の時間周波数リソース位置でシステム情報を送出するようにさらに構成される。指定された時間間隔内で、第２の時間周波数リソース位置は、無線フレームのフレームヘッダ位置に対して第２の時間オフセットを有し、第２の時間オフセットは第１の時間オフセットに等しくない。
【００９６】
この実施例で提供されるシステムにおいて、基地局は、アイドルモードにおいて同期信号のみを周期的に送出し、上りリンクトリガ信号が基地局により検出される前にシステム情報を配信しない。この場合、同期信号が比較的少数の適応的リソースを占有するため、サブフレームのすべての残りの時間周波数リソースが動的に構成されて、セルにおける上りリンクサービス及び下りリンクサービスに柔軟に適応できる。これは、以下の問題、すなわち、基地局が同期信号とシステム情報を搬送するブロードキャストチャネルとを同時に送出するため、時間周波数リソース全体が占有され、ＬＴＥシステムにおけるさらなるリソース構成柔軟性が影響を受けることを回避する。
【００９７】
さらに、システムの前述の実施例に対応して、この出願は基地局６００をさらに提供する。図６に示されるように、基地局は、トランシーバユニット６０１及び処理ユニット６０２を含む。トランシーバユニット６０１は、第１の無線フレーム内の第１の時間周波数リソースグループ内で少なくとも１つの第１の上りリンクトリガ信号を受信するように構成される。処理ユニット６０２は、少なくとも１つの第１の上りリンクトリガ信号の時間周波数リソースに基づいて、第１のシステム情報を送出するために使用される時間周波数リソースを決定するように構成され、時間ドメインにおける第１のシステム情報の時間周波数リソースの開始位置は、第１のシステム情報が位置する無線フレームのフレームヘッダ位置に対して第１の時間オフセットを有する。トランシーバユニット６０１は、第１のシステム情報の時間周波数リソース上で第１のシステム情報を送出するようにさらに構成される。
【００９８】
さらに、トランシーバユニット６０１は、第２の無線フレーム内の第２の時間周波数リソースグループ内で少なくとも１つの第２の上りリンクトリガ信号を受信するようにさらに構成される。処理ユニット６０２は、少なくとも１つの第２の上りリンクトリガ信号の時間周波数リソースに基づいて、第２のシステム情報を送出するために使用される時間周波数リソースを決定するように構成され、時間ドメインにおける第２のシステム情報の時間周波数リソースの開始位置は、第２のシステム情報が位置する無線フレームのフレームヘッダ位置に対して第２の時間オフセットを有し、第１の時間オフセットは第２の時間オフセットと異なる。トランシーバユニット６０１は、第２のシステム情報の時間周波数リソース上で第２のシステム情報を送出するようにさらに構成される。
【００９９】
さらに、トランシーバユニット６０１は、上りリンクトリガ信号を受信するために使用される第１の指示情報を送出するようにさらに構成され、第１の指示情報は、無線フレームの第１の時間周波数リソースグループ内に位置する。
【０１００】
処理ユニット６０２は、少なくとも１つの第１の上りリンクトリガ信号の時間周波数リソースに基づいて、同じ周波数領域を占有するサブキャリアを決定し、同じ周波数領域を占有するサブキャリアに基づいて第１のシステム情報の時間周波数リソースを決定するようにさらに構成される。
【０１０１】
さらに、実施例がユーザ装置７００をさらに提供する。図７に示されるように、ユーザ装置７００は、トランシーバユニット７０１及び処理ユニット７０２を含む。
【０１０２】
トランシーバユニット７０１は、サービングセルの同期信号又は第２の指示情報を受信するように構成され、第２の指示情報は、トリガ信号系列情報を示すために使用される。処理ユニット７０２は、同期信号及び／又は第２の指示情報に基づいてサービングセルのトリガ信号リソースを決定し、サービングセルのトリガ信号リソースは、少なくとも１つの上りリンクトリガ信号の時間周波数リソース及び／又は少なくとも１つの上りリンクトリガ信号の系列情報を含み；サービングセルのトリガ信号リソースに基づいて上りリンクトリガ信号を生成するように構成される。トランシーバユニット７０１は、上りリンクトリガ信号の時間周波数リソース上で上りリンクトリガ信号を送出するようにさらに構成される。処理ユニット７０２は、上りリンクトリガ信号の時間周波数リソースに基づいて、無線フレーム内の第２の時間周波数リソースグループを決定するようにさらに構成される。トランシーバユニット７０１は、第２の時間周波数リソースグループ内でシステム情報を受信するようにさらに構成される。
【０１０３】
さらに、処理ユニット７０２は、同期信号に基づいて、サービングセルの識別情報又はサービングセルに対応する識別情報を決定し、サービングセルに対応する識別情報は、サービングセルの識別情報と同じ機能を有し且つサービングセルを識別するために使用できる識別情報であり；サービングセルの識別情報又はサービングセルに対応する識別情報に基づいてサービングセルのトリガ信号リソースを決定するようにさらに構成される。
【０１０４】
さらに、処理ユニット７０２は、サービングセルのトリガ信号リソースに基づいてトリガ信号系列情報を決定し、トリガ信号系列情報に基づいて上りリンクトリガ信号を生成するようにさらに構成される。第２の指示情報が受信された場合、処理ユニット７０２は、第２の指示情報に基づいてトリガ信号系列情報を取得し、トリガ信号系列情報に基づいて上りリンクトリガ信号を生成する。
【０１０５】
処理ユニット７０２は、上りリンクトリガ信号が送出される前、第１の指示情報が受信されたかどうかを検出し、第１の指示情報が受信された場合、第１の指示情報に基づいて、上りリンクトリガ信号を送出するために使用される時間周波数リソースを決定し、上りリンクトリガ信号の時間周波数リソース上で上りリンクトリガ信号を送出するようにさらに構成される。
【０１０６】
さらに、処理ユニット７０２は、システム情報が第２の時間周波数リソースグループ内で受信されないとき、上りリンクトリガ信号のフォーマットを変更し且つ／或いは送信電力を増加させ、変更されたフォーマット及び／又は増加させた送信電力に基づいて上りリンクトリガ信号を再度送出するようにさらに構成される。
【０１０７】
第２の時間周波数リソースグループはサービングセルの少なくとも１つのシステム情報リソースを含み、システム情報リソースは時間ドメインリソース、周波数ドメインリソース、及びコードワードリソースを含む。任意選択で、システム情報の周波数ドメインリソース及び上りリンクトリガ信号の周波数ドメインリソースは、同じ周波数ドメインサブキャリアを占有し、システム情報の時間ドメインリソースは、ユーザ装置が上りリンクトリガ信号を送出した後の指定された時間間隔内の時間ドメインリソースであり、システム情報のコードワードリソースは、システム情報のスクランブリングコードを含む。
【０１０８】
この実施例において、基地局は、端末デバイスにより送出された上りリンクトリガ信号を受信した後にのみ、決定された時間周波数リソースに基づいて第１のシステム情報を端末デバイスに配信する。第１のシステム情報を配信するために使用される時間周波数リソースが無線フレームのフレームヘッダ位置に対する時間オフセットを有するため、基地局が同期信号と第１のシステム情報を搬送するブロードキャストチャネルとを同時に送出しないことが確保でき、それにより、基地局は、上りリンクトリガ信号を検出することなく第１のシステム情報を送出しない。この場合、下りリンクベアラを受信するために使用される時間周波数リソースは周期的に送出された同期信号のみを受信するために使用され、同期信号は比較的少数のリソースを占有するため、残りの時間周波数リソースの多くは動的に構成でき、例えば、上りリンクデータ送信に使用でき、それにより、サブフレーム全体の時間周波数リソースの占有が回避され、これにより、ＬＴＥシステムにおけるリソース構成柔軟性を改善する。
【０１０９】
基地局６００及びユーザ装置７００の前述の実施例に対応して、具体的なハードウェアにおいて、この出願は基地局及びユーザ装置をさらに提供する。図８及び図９に示されるように、基地局は、トランシーバ８０１、プロセッサ８０２、通信バス８０３、及びメモリ８０４を含み、トランシーバ８０１は、少なくとも１つの通信インターフェース及び／又はＩ／Ｏインターフェースを含む。対応して、ユーザ装置は、トランシーバ９０１、プロセッサ９０２、通信バス９０３、及びメモリ９０４を含み、トランシーバ９０１は、少なくとも１つの通信インターフェース及び／又はＩ／Ｏインターフェースを含む。
【０１１０】
基地局におけるトランシーバ８０１は、前述の実施例における受信ユニット６０１のすべての機能を実現するように構成されたハードウェアデバイスであり、プロセッサ８０２は、前述の実施例における処理ユニット６０２のすべての機能を実現するように構成されたハードウェアデバイスである。対応して、ユーザ装置におけるトランシーバ９０１は、前述の実施例における受信ユニット７０１のすべての機能を実現するように構成されたハードウェアデバイスであり、プロセッサ９０２は、前述の実施例における処理ユニット７０２のすべての機能を実現するように構成されたハードウェアデバイスである。
【０１１１】
具体的な実施例において、基地局と少なくとも１つのユーザ装置とを含むシステム情報送出システムがさらに提供される。基地局とユーザ装置との双方が、前述の実施例におけるハードウェアデバイス又は装置ユニットに適用される。このシステムにおいて、基地局はシステム情報をユーザ装置に配信し、具体的な配信プロセスが以下のステップを含む。
【０１１２】
ユーザ装置は、サービングセルの同期信号又は第２の指示情報を受信し、第２の指示情報はトリガ信号系列情報を示すために使用され；同期信号又は第２の指示情報に基づいてサービングセルのトリガ信号リソースを決定し、サービングセルのトリガ信号リソースは上りリンクトリガ信号時間周波数リソースのグループ及び／又は上りリンクトリガ信号コードワードのグループを含む。
【０１１３】
ユーザ装置はさらに、サービングセルのトリガ信号リソースに基づいて上りリンクトリガ信号を生成し、上りリンクトリガ信号の時間周波数リソース上で上りリンクトリガ信号を送出する。
【０１１４】
基地局は、第１の無線フレーム内の第１の時間周波数リソースグループ内で少なくとも１つの第１の上りリンクトリガ信号を受信し、少なくとも１つの第１の上りリンクトリガ信号の時間周波数リソースに基づいて、第１のシステム情報を送出するために使用される時間周波数リソースを決定し、時間ドメインにおける第１のシステム情報の時間周波数リソースの開始位置が、第１のシステム情報が位置する無線フレームのフレームヘッダ位置に対する第１の時間オフセットを有し；第１のシステム情報の時間周波数リソース上で第１のシステム情報を送出する。
【０１１５】
ユーザ装置は、上りリンクトリガ信号の時間周波数リソースに基づいて、システム情報を送出するために使用される第２の時間周波数リソースグループを決定し、システム情報の第２の時間周波数リソースグループ内で第１のシステム情報を受信する。
【０１１６】
前述の提供された実施例において、基地局及びユーザ装置の具体的なハードウェア構成において、プロセッサは、汎用中央処理ユニット（ＣＰＵ）、マイクロプロセッサ、特定用途向け集積回路（application-specific  integrated  circuit、ＡＳＩＣ）、又は本発明の解決策のプログラム実行を制御するための１つ以上の集積回路でもよい。
【０１１７】
通信バスは、前述のコンポーネント又はデバイス間で情報を送信するための、すなわち、ユーザ装置と基地局との間の通信に使用される、チャネルを含んでもよい。通信インターフェースは、トランシーバのような任意のタイプの装置であり、別のデバイス又は通信ネットワーク、例えば、イーサネット、無線アクセスネットワーク（ＲＡＮ）、又は無線ローカルエリアネットワーク（wireless  local  area  network、ＷＬＡＮ）と通信するように構成される。
【０１１８】
メモリは、読取専用メモリ（read-only  memory、ＲＯＭ）又は静的情報及び命令を記憶できる別のタイプの静的記憶デバイス、ランダムアクセスメモリ（random  access  memory、ＲＡＭ）又は情報及び命令を記憶できる別のタイプの動的記憶デバイスでもよく、或いは電気的消去可能プログラム可能読取専用メモリ（electrically  erasable  programmable  read-only  memory、ＥＥＰＲＯＭ）、コンパクトディスク読取専用メモリ（compact  disc  read-only  memory、ＣＤ‐ＲＯＭ）若しくは別のコンパクトディスク記憶装置、光学ディスク記憶装置（コンパクトディスク、レーザディスク、光ディスク、デジタル多用途ディスク、ブルーレイディスクなどを含む）、ディスク記憶媒体若しくは別のディスク記憶デバイス、又は予期されるプログラムコードを命令又はデータ構造形式で搬送又は記憶するために使用でき且つコンピュータによりアクセスできる任意の他の媒体でもよく、しかしこれらに限定されない。メモリは、独立して存在してもよく、バスを使用することによりプロセッサに接続される。別法として、メモリは、プロセッサと統合されてもよい。メモリは、本発明の解決策を実行するために使用されるアプリケーションプログラムコードを記憶するように構成され、アプリケーションプログラムコードは、プロセッサの制御下で実行される。プロセッサは、メモリに記憶されたアプリケーションプログラムコードを実行するように構成される。
【０１１９】
この出願の実施例は、前述の実施例において提供されたシステム情報送出方法及びシステム情報受信方法で使用されるコンピュータソフトウェア命令を記憶するように構成されたコンピュータ記憶媒体をさらに提供し、コンピュータソフトウェア命令は、前述の方法の実施例を実行するように設計されたプログラムを含む。システム情報は、記憶されたプログラムを実行することにより送出及び受信できる。
【０１２０】
本発明は実施例を参照して説明されているが、保護を請求する本発明を実現するプロセスにおいて、当業者は、添付図面、開示の内容、及び別記の請求項を検討することにより、開示された実施例の別の変形を理解し、実現し得る。請求項において、「含む」（comprising）は別のコンポーネント又は別のステップを除外せず、「一の」又は「１つの」は複数の場合を除外しない。単一のプロセッサ又は別のユニットが、請求項に列挙されたいくつかの機能を実現してもよい。いくつかの手段が、互いに異なる従属請求項に記録されるが、これは、これらの手段がより良い効果を生み出すために組み合わせられないことを意味するわけではない。
【０１２１】
当業者は、本発明の実施例が方法、装置（デバイス）、又はコンピュータプログラム製品として提供され得ることを理解するべきである。ゆえに、本発明は、ハードウェアのみの実施例、ソフトウェアのみの実施例、又はソフトウェア及びハードウェアの組み合わせを有する実施例の形式を使用してもよい。さらに、本発明は、コンピュータ使用可能プログラムコードを含む１つ以上のコンピュータ使用可能記憶媒体（これらに限られないが磁気ディスクメモリ、ＣＤ‐ＲＯＭ、及び光学メモリを含む）上に実現されたコンピュータプログラム製品の形式を使用してもよい。コンピュータプログラムは、適切な媒体に記憶／分散され、別のハードウェアと一緒にハードウェアの一部として提供され又は一部として使用され、或いは、別の方式で、例えば、インターネット又は別の有線若しくは無線電気通信システムを使用することにより分散されてもよい。
【０１２２】
本発明は、本発明の実施例による方法、装置（デバイス）、及びコンピュータプログラム製品のフローチャート及び／又はブロック図を参照して説明されている。コンピュータプログラム命令は、フローチャート及び／又はブロック図内の各プロセス及び／又は各ブロック並びにフローチャート及び／又はブロック図内のプロセス及び／又はブロックの組み合わせを実現するために使用され得ることが理解されるべきである。これらのコンピュータプログラム命令は、汎用コンピュータ、専用コンピュータ、組み込みプロセッサ、又はマシンを生成するための任意の他のプログラム可能データ処理デバイスのプロセッサに提供されてもよく、それにより、コンピュータ又は任意の他のプログラム可能データ処理デバイスのプロセッサにより実行された命令は、フローチャート内の１つ以上のプロセス内及び／又はブロック図内の１つ以上のブロック内の特定の機能を実現するための装置を生成する。
【０１２３】
本発明は具体的な特徴及びその実施例を参照して説明されているが、明らかに、本発明の主旨及び範囲から逸脱することなくこれらに対して様々な変更及び組み合わせがなされ得る。対応して、明細書及び添付図面は、別記の請求項により定義される本発明の単に例示的な説明に過ぎず、本発明の範囲をカバーするすべての変更、変形、組み合わせ、若しくは均等物又はそのいずれかと考えられる。明らかに、当業者は、本発明の主旨及び範囲から逸脱することなく本発明に対して様々な変更及び変形を行うことができる。本発明は、これらの変更及び変形が別記の請求項及びその同等技術により定義された保護範囲内に入る限り、これらをカバーすることが意図される。
【図１】
2019528012.tif 000003
【図２】
2019528012.tif 000004
【図３】
2019528012.tif 000005
【図４】
2019528012.tif 000006
【図５】
2019528012.tif 000007
【図６】
2019528012.tif 000008
【図７】
2019528012.tif 000009
【図８】
2019528012.tif 000010
【図９】
2019528012.tif 000011
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
システム情報送出方法であって、
基地局により、第１の無線フレーム内の第１の時間周波数リソースグループ内で少なくとも１つの第１の上りリンクトリガ信号を受信するステップと、
前記少なくとも１つの第１の上りリンクトリガ信号の時間周波数リソースに基づいて、第１のシステム情報を送出するために使用される時間周波数リソースを決定するステップであり、時間ドメインにおける前記第１のシステム情報の前記時間周波数リソースの開始位置は、前記第１のシステム情報が位置する無線フレームのフレームヘッダ位置に対して第１の時間オフセットを有する、ステップと、
前記第１のシステム情報の前記時間周波数リソース上で前記第１のシステム情報を送出するステップと、
を含む方法。
【請求項２】
当該方法は、
前記基地局により、第２の無線フレーム内の第２の時間周波数リソースグループ内で少なくとも１つの第２の上りリンクトリガ信号を受信するステップと、
前記少なくとも１つの第２の上りリンクトリガ信号の時間周波数リソースに基づいて、第２のシステム情報を送出するために使用される時間周波数リソースを決定するステップであり、時間ドメインにおける前記第２のシステム情報の前記時間周波数リソースの開始位置は、前記第２のシステム情報が位置する無線フレームのフレームヘッダ位置に対して第２の時間オフセットを有し、前記第１の時間オフセットは前記第２の時間オフセットと異なる、ステップと、
前記第２のシステム情報の前記時間周波数リソース上で前記第２のシステム情報を送出するステップと、
をさらに含む請求項１に記載の方法。
【請求項３】
基地局により、第１の時間周波数リソースグループ内で少なくとも１つの第１の上りリンクトリガ信号を受信するステップの前に、
前記基地局により、上りリンクトリガ信号を受信するために使用される第１の指示情報を送出するステップであり、前記第１の指示情報は、前記無線フレームの前記第１の時間周波数リソースグループ内に位置する、ステップ
をさらに含む請求項１に記載の方法。
【請求項４】
前記少なくとも１つの第１の上りリンクトリガ信号の時間周波数リソースに基づいて、第１のシステム情報を送出するために使用される時間周波数リソースを決定するステップは、
前記少なくとも１つの第１の上りリンクトリガ信号の前記時間周波数リソースに基づいて、前記第１のシステム情報を送出するために使用される候補時間周波数リソースグループを決定するステップと、
前記第１のシステム情報の前記候補時間周波数リソースグループに基づいて、前記第１のシステム情報を送出するために使用される前記時間周波数リソースを決定するステップと、
を含む、請求項１乃至３のうちいずれか１項に記載の方法。
【請求項５】
システム情報受信方法であって、
ユーザ装置により、サービングセルの同期信号又は第２の指示情報を受信するステップであり、前記第２の指示情報は、トリガ信号系列情報を示すために使用される、ステップと、
前記同期信号又は前記第２の指示情報に基づいて前記サービングセルのトリガ信号リソースを決定するステップであり、前記サービングセルの前記トリガ信号リソースは、少なくとも１つの上りリンクトリガ信号の時間周波数リソース及び／又は前記少なくとも１つの上りリンクトリガ信号の系列情報を含む、ステップと、
前記サービングセルの前記トリガ信号リソースに基づいて上りリンクトリガ信号を生成し、前記上りリンクトリガ信号の時間周波数リソース上で前記上りリンクトリガ信号を送出するステップと、
前記上りリンクトリガ信号の前記時間周波数リソースに基づいて、システム情報を受信するために使用される第２の時間周波数リソースグループを決定するステップと、
前記システム情報の前記第２の時間周波数リソースグループ内で前記システム情報を受信するステップと、
を含む方法。
【請求項６】
前記サービングセルの前記トリガ信号リソースに基づいて上りリンクトリガ信号を生成するステップは、
前記サービングセルの前記トリガ信号リソースに基づいて前記トリガ信号系列情報を決定するステップと、
前記トリガ信号系列情報に基づいて前記上りリンクトリガ信号を生成するステップと、
を含む、請求項５に記載の方法。
【請求項７】
前記上りリンクトリガ信号の時間周波数リソース上で前記上りリンクトリガ信号を送出するステップは、
前記上りリンクトリガ信号を送出する前、第１の指示情報が受信されたかどうかを検出するステップと、
前記第１の指示情報が受信された場合、前記第１の指示情報に基づいて、前記上りリンクトリガ信号を送出するために使用される前記時間周波数リソースを決定し、前記上りリンクトリガ信号の前記時間周波数リソース上で前記上りリンクトリガ信号を送出するステップと、
を含む、請求項５又は６に記載の方法。
【請求項８】
前記第２の時間周波数リソースグループ内で前記システム情報を受信するステップは、
前記システム情報が前記第２の時間周波数リソースグループ内で受信されたかどうかを決定するステップと、
前記ユーザ装置が前記第２の時間周波数リソースグループ内で前記システム情報を受信しない場合、上りリンクトリガ信号のフォーマットを変更し且つ／或いは送信電力を増加させ、変更されたフォーマット及び／又は増加させた送信電力に基づいて前記上りリンクトリガ信号を再度送出するステップと、
を含む、請求項５乃至７のうちいずれか１項に記載の方法。
【請求項９】
前記第２の時間周波数リソースグループは、前記サービングセルの少なくとも１つのシステム情報リソースを含み、前記システム情報リソースは、時間ドメインリソース、周波数ドメインリソース、及びコードワードリソースを含む、請求項５乃至８のうちいずれか１項に記載の方法。
【請求項１０】
前記システム情報の前記周波数ドメインリソース及び前記上りリンクトリガ信号の周波数ドメインリソースは、同じ周波数ドメインサブキャリアを占有し、
前記システム情報の前記時間ドメインリソースは、前記ユーザ装置が前記上りリンクトリガ信号を送出した後の指定された時間間隔内の時間ドメインリソースであり、
前記システム情報の前記コードワードリソースは、前記システム情報のスクランブリングコードを含む、
請求項９に記載の方法。
【請求項１１】
トランシーバユニットと処理ユニットとを含む基地局であって、
前記トランシーバユニットは、第１の無線フレーム内の第１の時間周波数リソースグループ内で少なくとも１つの第１の上りリンクトリガ信号を受信するように構成され、
前記処理ユニットは、前記少なくとも１つの第１の上りリンクトリガ信号の時間周波数リソースに基づいて、第１のシステム情報を送出するために使用される時間周波数リソースを決定するように構成され、時間ドメインにおける前記第１のシステム情報の前記時間周波数リソースの開始位置は、前記第１のシステム情報が位置する無線フレームのフレームヘッダ位置に対して第１の時間オフセットを有し、
前記トランシーバユニットは、前記第１のシステム情報の前記時間周波数リソースに基づいて前記第１のシステム情報を送出するようにさらに構成される、基地局。
【請求項１２】
前記トランシーバユニットは、第２の無線フレーム内の第２の時間周波数リソースグループ内で少なくとも１つの第２の上りリンクトリガ信号を受信するようにさらに構成され、
前記処理ユニットは、前記少なくとも１つの第２の上りリンクトリガ信号の時間周波数リソースに基づいて、第２のシステム情報を送出するために使用される時間周波数リソースを決定するようにさらに構成され、時間ドメインにおける前記第２のシステム情報の前記時間周波数リソースの開始位置は、前記第２のシステム情報が位置する無線フレームのフレームヘッダに対して第２の時間オフセットを有し、前記第１の時間オフセットは前記第２の時間オフセットと異なり、
前記トランシーバユニットは、前記第２のシステム情報の前記時間周波数リソース上で前記第２のシステム情報を送出するようにさらに構成される、
請求項１１に記載の基地局。
【請求項１３】
前記トランシーバユニットは、上りリンクトリガ信号を受信するために使用される第１の指示情報を送出するようにさらに構成され、前記第１の指示情報は、前記無線フレームの前記第１の時間周波数リソースグループ内に位置する、
請求項１１に記載の基地局。
【請求項１４】
前記処理ユニットは、前記少なくとも１つの第１の上りリンクトリガ信号の前記時間周波数リソースに基づいて、同じ周波数領域を占有するサブキャリアを決定し、前記同じ周波数領域を占有する前記サブキャリアに基づいて前記第１のシステム情報の前記時間周波数リソースを決定するようにさらに構成される、
請求項１１乃至１３のうちいずれか１項に記載の基地局。
【請求項１５】
トランシーバユニットと処理ユニットとを含むユーザ装置であって、
前記トランシーバユニットは、サービングセルの同期信号又は第２の指示情報を受信するように構成され、前記第２の指示情報は、トリガ信号系列情報を示すために使用され、
前記処理ユニットは、前記同期信号及び／又は前記第２の指示情報に基づいて前記サービングセルのトリガ信号リソースを決定し、前記サービングセルの前記トリガ信号リソースは少なくとも１つの上りリンクトリガ信号の時間周波数リソース及び／又は前記少なくとも１つの上りリンクトリガ信号の系列情報を含み、
前記サービングセルの前記トリガ信号リソースに基づいて上りリンクトリガ信号を生成するように構成され、
前記トランシーバユニットは、前記上りリンクトリガ信号の時間周波数リソース上で前記上りリンクトリガ信号を送出するようにさらに構成され、
前記処理ユニットは、前記上りリンクトリガ信号の前記時間周波数リソースに基づいて第２の時間周波数リソースグループを決定するようにさらに構成され、
前記トランシーバユニットは、前記第２の時間周波数リソースグループ内でシステム情報を受信するようにさらに構成される、ユーザ装置。
【請求項１６】
前記処理ユニットは、前記サービングセルの前記トリガ信号リソースに基づいて前記トリガ信号系列情報を決定し、前記トリガ信号系列情報に基づいて前記上りリンクトリガ信号を生成するようにさらに構成される、
請求項１５に記載のユーザ装置。
【請求項１７】
前記処理ユニットは、前記上りリンクトリガ信号が送出される前、第１の指示情報が受信されたかどうかを検出し、前記第１の指示情報が受信された場合、前記第１の指示情報に基づいて、前記上りリンクトリガ信号を送出するために使用される前記時間周波数リソースを決定し、前記上りリンクトリガ信号の前記時間周波数リソース上で前記上りリンクトリガ信号を送出するようにさらに構成される、
請求項１５又は１６に記載のユーザ装置。
【請求項１８】
前記処理ユニットは、前記システム情報が前記第２の時間周波数リソースグループ内で受信されたかどうかを決定し、前記システム情報が前記第２の時間周波数リソースグループ内で受信されない場合、前記上りリンクトリガ信号のフォーマットを変更し且つ／或いは送信電力を増加させるようにさらに構成され、
前記トランシーバユニットは、前記変更されたフォーマット及び／又は前記増加させた送信電力に基づいて前記上りリンクトリガ信号を再度送出するようにさらに構成される、
請求項１５乃至１７のうちいずれか１項に記載のユーザ装置。
【請求項１９】
前記第２の時間周波数リソースグループは、前記サービングセルの少なくとも１つのシステム情報リソースを含み、前記システム情報リソースは、時間ドメインリソース、周波数ドメインリソース、及びコードワードリソースを含む、請求項１５乃至１８のうちいずれか１項に記載のユーザ装置。
【請求項２０】
前記システム情報の前記周波数ドメインリソース及び前記上りリンクトリガ信号の周波数ドメインリソースは、同じ周波数ドメインサブキャリアを占有し、
前記システム情報の前記時間ドメインリソースは、当該ユーザ装置が前記上りリンクトリガ信号を送出した後の指定された時間間隔内の時間ドメインリソースであり、
前記システム情報の前記コードワードリソースは、前記システム情報のスクランブリングコードを含む、
請求項１９に記載のユーザ装置。
【請求項２１】
プロセッサと、前記プロセッサによる実行のための命令を記憶した記憶媒体とを含む装置であって、前記命令が実行されたときに前記プロセッサは請求項１乃至１０のうちいずれか１項に記載の方法のステップを実行するように構成される、装置。
【請求項２２】
通信デバイスのプロセッサ上で実行されたときに前記通信デバイスに請求項１乃至１０のうちいずれか１項に記載の方法のステップを実行させるコンピュータプログラムコードを含むコンピュータプログラム。
【手続補正２】
【補正対象書類名】明細書
【補正対象項目名】０００５
【補正方法】変更
【補正の内容】
【０００５】
例えば、図１に示されるように、時分割複信（英語：time  division  duplex、略称ＴＤＤ）システムは、０から９まで番号付けされた１０個のサブフレームを含み、各サブフレームは、上りリンク又は下りリンク送信に使用される１つの時間周波数リソースに対応する。サブフレーム０乃至９内の固定の時間周波数リソースが下りリンク同期信号及び下りリンクブロードキャストチャネルを搬送するために必要とされるため、サブフレーム０及びサブフレーム５は下りリンク送信に使用されるサブフレームとして予め定義され、この２つのサブフレームの時間周波数リソースは下りリンク送信に使用される時間周波数リソースであると指定される。ゆえに、２つの時間周波数リソースが基地局により送出される同期信号及びブロードキャストチャネルを搬送するとき、時間周波数リソース全体がシステム情報により占有されるため、サブフレーム０及びサブフレーム５は下りリンク送信のみに使用され、上りリンクデータを送出するために使用できない。結果として、サブフレーム０及びサブフレーム５のためのリソース構成が影響を受ける。
【手続補正３】
【補正対象書類名】明細書
【補正対象項目名】００１２
【補正方法】変更
【補正の内容】
【００１２】
第２の態様によれば、この出願の実施例はシステム情報受信方法を提供する。当該方法は、ユーザ装置により、サービングセルの同期信号又は第２の指示情報を受信するステップであり、第２の指示情報は、トリガ信号系列情報を示すために使用される、ステップと、同期信号又は第２の指示情報に基づいてサービングセルのトリガ信号リソースを決定するステップであり、サービングセルのトリガ信号リソースは、少なくとも１つの上りリンクトリガ信号の時間周波数リソース及び／又は少なくとも１つの上りリンクトリガ信号の系列情報を含む、ステップと、サービングセルのトリガ信号リソースに基づいて上りリンクトリガ信号を生成し、上りリンクトリガ信号の時間周波数リソース上で上りリンクトリガ信号を送出するステップと、上りリンクトリガ信号の時間周波数リソースに基づいて、システム情報を受信するために使用される第２の時間周波数リソースグループを決定するステップと、システム情報の第２の時間周波数リソースグループ内でシステム情報を受信するステップと、を含む。
【手続補正４】
【補正対象書類名】明細書
【補正対象項目名】００７１
【補正方法】変更
【補正の内容】
【００７１】
ユーザ装置が、生成された上りリンクトリガ信号を基地局に送出した後、基地局は、上りリンクトリガ信号に基づいてステップ２０１乃至２０３を実行して、ブロードキャストチャネルを使用することによりシステム情報をユーザ装置に送出する。ステップ４０３の後、当該方法は以下をさらに含む。
【手続補正５】
【補正対象書類名】明細書
【補正対象項目名】００８５
【補正方法】変更
【補正の内容】
【００８５】
Ｓ５０５．ユーザ装置が基地局からの第１の指示情報を検出又は受信し、第１の指示情報は、トリガ信号を送出するようユーザ装置に命令するために使用される場合、ユーザ装置はステップＳ５０６を実行する。
【手続補正６】
【補正対象書類名】明細書
【補正対象項目名】０１０８
【補正方法】変更
【補正の内容】
【０１０８】
この実施例において、基地局は、ユーザ装置により送出された上りリンクトリガ信号を受信した後にのみ、決定された時間周波数リソースに基づいて第１のシステム情報をユーザ装置に配信する。第１のシステム情報を配信するために使用される時間周波数リソースが無線フレームのフレームヘッダ位置に対する時間オフセットを有するため、基地局が同期信号と第１のシステム情報を搬送するブロードキャストチャネルとを同時に送出しないことが確保でき、それにより、基地局は、上りリンクトリガ信号を検出することなく第１のシステム情報を送出しない。この場合、下りリンクベアラを受信するために使用される時間周波数リソースは周期的に送出された同期信号のみを受信するために使用され、同期信号は比較的少数のリソースを占有するため、残りの時間周波数リソースの多くは動的に構成でき、例えば、上りリンクデータ送信に使用でき、それにより、サブフレーム全体の時間周波数リソースの占有が回避され、これにより、ＬＴＥシステムにおけるリソース構成柔軟性を改善する。
【国際調査報告】
2019528012.tif 000012
2019528012.tif 000013
2019528012.tif 000014
2019528012.tif 000015